(57)【要約】      （修正有）【課題】入館許可人数を制限することが可能な入館者数指定型扉開閉システムを提供する。【解決手段】扉開閉制御部は、本人確認データを読取るための本人確認データ読取部と、入館許可人数データ入力部と、人数検出部と、前記本人確認データ読取部によって読み取った本人確認データと、入館許可人数データを、管理サーバへ送信する手段と、前記管理サーバからの回答により、前記扉を解除し、前記人数検出部によって検出された通過人数が前記回答で指定された人数に達した場合に警告出力と共に、前記扉を閉め、ロックする手段とを備え、前記管理サーバは、本人確認用認証データを予め登録保持する認証データ記憶部と、前記扉開閉制御部から送信された前記本人確認データと、前記認証データ記憶部に予め登録されている認証データとを照合し、一致している場合に、前記扉のロックを解除する指令と、入館許可人数データを前記扉開閉制御部へ回答する手段とを備える。【選択図】図１
2008146369.tif 000002
【特許請求の範囲】
【請求項１】
扉開閉制御部と、
管理サーバと、
前記扉開閉制御部と前記管理サーバとを接続する通信網とを備え、
本人確認操作により、前記扉開閉制御部が扉の開閉制御を行って入館者を管理する扉開閉システムであって、
前記扉開閉制御部は、本人確認データを読取るための本人確認データ読取部と、
入館許可人数データを入力する入館許可人数データ入力部と、
通過した人数を検出する人数検出部と、
前記本人確認データ読取部によって読み取った入館者の本人確認データと、前記入館許可人数データ入力部に入力された入館許可人数データを、前記管理サーバへ送信する手段と、
前記管理サーバからの回答により、前記扉を解除し、かつ、前記人数検出部によって検出された通過人数が前記回答で指定された人数に達した場合に警告出力と共に、前記扉を閉め、ロックする手段とを備え、
前記管理サーバは、本人確認用認証データを予め登録保持する認証データ記憶部と、
前記扉開閉制御部から送信された前記本人確認データと、前記認証データ記憶部に予め登録されている認証データとを照合し、一致している場合に、前記扉のロックを解除する指令と、入館許可人数データを前記扉開閉制御部へ回答する手段とを備えることを特徴とする入館者数指定型扉開閉システム。
【発明の詳細な説明】
【技術分野】
【０００１】
本発明は、本人確認操作による扉の開閉制御を行って入館者を管理する扉開閉システムに係り、特に、通過人数を検出し、指定された人数に達した場合に、警告出力ともに扉を閉め、ロックするシステムに関する。
【背景技術】
【０００２】
従来、本人確認操作によって扉開閉制御を行う扉開閉システムは、一般に、入館者を管理する方法が知られている。
この方法によれば、本人確認が完了し扉が開いている間は、誰でも自由に出入りすることが可能である。
【発明の開示】
【発明が解決しようとする課題】
【０００３】
前述したように、本人確認操作によって扉開閉制御を行う扉開閉システムは、一般に、入館者を管理する方法が知られているが、この方法によれば、本人確認が完了し扉が開いている間は、誰でも自由に出入りできるため、入館人数まで制御することが出来ないという問題があった。
本発明は、前記従来技術の問題点を解決するためになされたものであり、本発明の目的は、入館許可人数を制限することが可能な入館者数指定型扉開閉システムを提供することにある。
本発明の前記ならびにその他の目的と新規な特徴は、本明細書の記述及び添付図面によって明らかにする。
【課題を解決するための手段】
【０００４】
本願において開示される発明のうち、代表的なものの概要を簡単に説明すれば、下記の通りである。
前述の目的を達成するために、本発明は、扉開閉制御部と、管理サーバと、前記扉開閉制御部と前記管理サーバとを接続する通信網とを備え、本人確認操作により、前記扉開閉制御部が扉の開閉制御を行って入館者を管理する扉開閉システムであって、前記扉開閉制御部は、本人確認データを読取るための本人確認データ読取部と、入館許可人数データを入力する入館許可人数データ入力部と、通過した人数を検出する人数検出部と、前記本人確認データ読取部によって読み取った入館者の本人確認データと、前記入館許可人数データ入力部に入力された入館許可人数データを、前記管理サーバへ送信する手段と、前記管理サーバからの回答により、前記扉を解除し、かつ、前記人数検出部によって検出された通過人数が前記回答で指定された人数に達した場合に警告出力と共に、前記扉を閉め、ロックする手段とを備え、前記管理サーバは、本人確認用認証データを予め登録保持する認証データ記憶部と、前記扉開閉制御部から送信された前記本人確認データと、前記認証データ記憶部に予め登録されている認証データとを照合し、一致している場合に、前記扉のロックを解除する指令と、入館許可人数データを前記扉開閉制御部へ回答する手段とを備えることを特徴とする。
【発明の効果】
【０００５】
本願において開示される発明のうち代表的なものによって得られる効果を簡単に説明すれば、下記の通りである。
本発明によれば、建物内に入館する際に、本人確認操作による扉の開閉制御以外に、入館許可人数情報も管理することにより、入館人数を制限することができるため、セキュリティを強化することが可能となる。
【発明を実施するための最良の形態】
【０００６】
以下、図面を参照して本発明の実施例を詳細に説明する。
なお、実施例を説明するための全図において、同一機能を有するものは同一符号を付け、その繰り返しの説明は省略する。
図１は、本発明の実施例の入館者数指定型扉開閉システムの全体概略構成を示すブロック図である。
図１において、１００は扉開閉制御部、１０１は本人確認データ読取部、１０２は入館許可人数データ入力部、１０３は人数検出部、１０４は管理サーバ、１０５は認証データ記憶部、１０６はネットワークである。
図２は、図１に示す扉開閉制御部１００の、入館者入力インターフェースを説明するためのブロック図である。
図２は、２００は扉開閉制御部、２０１は本人確認データ読取エリア、２０２は入館許可人数入力エリア、２０３は入力ボタン、２０４は完了ボタン、２０５はメッセージ表示部である。
【０００７】
図３は、本実施例の入館者数指定型扉開閉システムにおける、扉開閉制御部１００（２００）の入力処理手順を示すフローチャートである。
扉開閉制御部１００は、入館者が来たか否かを検出し（ステップ３００）、入館者が来た場合は、入館者に対して、本人確認データ読取エリア２０１に本人確認データの書込みを促すメッセージを、メッセージ表示部２０５に表示する（ステップ３０１）。なお、本人確認データとしては、指静脈認証や、暗証番号入力が利用可能である。
次に、完了ボタン２０４が押されたか否かを検出し（ステップ３０２）、ステップ３０２で完了ボタン２０４の押下を検出した場合には、入館者に対して、入館許可人数入力エリア２０２に入館許可人数の入力を促すメッセージを、メッセージ表示部２０５に表示する（ステップ３０３）。図２は、この入館許可人数の入力を促すメッセージ（入館許可人数を入力して下さい。）が、メッセージ表示部２０５に表示されている状態を示している。  次に、完了ボタン２０４が押されたか否かを検出し（ステップ３０４）、ステップ３０４で完了ボタン２０４の押下を検出した場合には、本人確認データと入館許可人数を管理サーバ１０４に送信する（ステップ３０５）。
【０００８】
図４は、本実施例の入館者数指定型扉開閉システムにおける、管理サーバ１０４の処理手順を示すフローチャートである。
管理サーバ１０４は、扉開閉制御部１００からデータを受信すると（ステップ４００）、扉開閉制御部１００から受信した本人確認データと予め登録されている認証データとが一致するか否かを判断する（ステップ４０１）。
ステップ４０１で、扉開閉制御部１００から受信した本人確認データと予め登録されている認証データとが一致しない場合は、ステップ４０５に進み、扉開閉制御部１００へ「入館拒否」を回答する。
ステップ４０１で、扉開閉制御部１００から受信した本人確認データと予め登録されている認証データとが一致した場合には、扉開閉制御部１００から受信したデータに入館許可人数が設定されているか否かを判断する（ステップ４０２）。
ステップ４０２で、扉開閉制御部１００から受信したデータに入館許可人数が設定されている場合には、入館許可人数として、扉開閉制御部１００から受信した入館許可人数の設定を行い（ステップ４０３）、また、ステップ４０２で、扉開閉制御部１００から受信したデータに入館許可人数が設定されていない場合には、入館許可人数を１名に設定する（ステップ４０４）。
次に、扉開閉制御部１００へ照合結果と入館人数の回答を行う（ステップ４０５）。
【０００９】
図５は、本実施例の入館者数指定型扉開閉システムにおける、扉開閉制御部１００の扉開閉処理手順を示すフローチャートである。
扉開閉制御部１００は、管理サーバ１０４からデータを受信すると（ステップ５００）、管理サーバ１０４から受信した照合結果が、入館許可か、入館拒否かを検出する（ステップ５０１）。
ステップ５０１での検出結果が、入館拒否の場合は、照合が失敗したというメッセージを表示する（ステップ５０６）。
ステップ５０１での検出結果が、入館許可の場合は、扉のロックを解除し、扉を開ける（ステップ５０２）。
次に、扉を開閉してからの時間が、事前に定められた時間を越えたか否かを検出し（ステップ５０３）、ステップ５０３において、扉を開閉してからの時間が、事前に定められた時間を越えた場合には、ステップ５０５に進む。
ステップ５０３において、扉を開閉してからの時間が、事前に定められた時間を越えていない場合には、人数検出部１０３により、入館者数が管理サーバ１０４から受信した入館許可人数に達したか否かを検出する（ステップ５０４）。
ステップ５０３において、扉を開閉してからの時間が、事前に定められた時間を越えた場合、および、ステップ５０４において、入館者数が管理サーバ１０４から受信した入館許可人数に達した場合には、警告音（お知らせ）を鳴らして、扉を閉じてロックする（ステップ５０５）。
以上、本発明者によってなされた発明を、前記実施例に基づき具体的に説明したが、本発明は、前記実施例に限定されるものではなく、その要旨を逸脱しない範囲において種々変更可能であることは勿論である。
【図面の簡単な説明】
【００１０】
【図１】本発明の実施例の入館者数指定型扉開閉システムの全体概略構成を示すブロック図である。
【図２】図１に示す扉開閉制御部の、入館者入力インターフェースを説明するためのブロック図である。
【図３】本発明の実施例の入館者数指定型扉開閉システムにおける、扉開閉制御部の入力処理手順を示すフローチャートである。
【図４】本発明の実施例の入館者数指定型扉開閉システムにおける、管理サーバの処理手順を示すフローチャートである。
【図５】本発明の実施例の入館者数指定型扉開閉システムにおける、扉開閉制御部の扉開閉処理手順を示すフローチャートである。
【符号の説明】
【００１１】
１００，２００  扉開閉制御部
１０１  本人確認データ読取部
１０２  入館許可人数データ入力部
１０３  人数検出部
１０４  管理サーバ
１０５  認証データ記憶部
１０６  ネットワーク
２０１  本人確認データ読取エリア
２０２  入館許可人数入力エリア
２０３  入力ボタン
２０４  完了ボタン
２０５  メッセージ表示部
【図１】
2008146369.tif 000003
【図２】
2008146369.tif 000004
【図３】
2008146369.tif 000005
【図４】
2008146369.tif 000006
【図５】
2008146369.tif 000007